(57)【要約】      （修正有）【課題】大幅に増強した奥行き知覚をもたらすことが可能である観察器を提供する。【解決手段】対物面ＯＰに位置する物体の像を生成するための、開口絞り５によって規定される径方向範囲を有する対物レンズ３と、対物レンズからミラー装置１２へと光が透過することを可能にし、ミラー装置から返ってくる光の反射を可能にする部分透過型反射器１１と、部分透過型反射器から光成分を受け取り、物体の合焦像がミラー装置において生成され、ミラー装置によって受け取られる光が部分透過型反射器へと反射され、中継されて物体の像が生成されるように配置されているミラー装置と、観察面にある射出瞳において観察者によって観察可能である物体の光学像を生成するための観察用レンズ装置３１とを備える。【選択図】図１
2018189974.tif 000002
【特許請求の範囲】
【請求項１】
拡大されている物体を観察するための観察器であって、
前記観察器は、
対物面に位置する物体の像を生成するための、開口絞りによって規定される径方向範囲を有する対物レンズと、
前記対物レンズからミラー装置へと光が透過することを許容し、前記ミラー装置から返ってくる光の反射を提供する部分透過型反射器と、
前記部分透過型反射器から光成分を受け取り、前記物体の合焦像が前記ミラー装置において生成され、前記ミラー装置によって受け取られる光が前記部分透過型反射器へと反射され、中継されて前記物体の像が生成されるように配置されているミラー装置と、
観察面にある射出瞳において観察者によって観察可能である前記物体の光学像を生成するための観察用レンズ装置と
を備え、
前記対物レンズは、前記対物レンズの光軸が前記対物面に交わる点からの一定の角度であり、前記対物面から前記対物レンズへの前記光軸に沿った距離および前記開口絞りの径方向範囲によって規定されるものとしてのビーム路程角（α）を有し、
前記観察器は、前記ミラー装置の光軸における前記ミラー装置上の一点からの一定の角度であり、前記ミラー装置から前記観察面への前記光軸に沿った距離および前記観察面にある前記射出瞳の径方向範囲によって規定されるものとしての観察角（β）を有し、
前記観察器は、前記ビーム路程角（α）と前記観察角（β）との変位比が少なくとも３：１であるように構成されており、それによって、前記観察者には、前記観察者の頭部の変位の範囲に対して、観察されている前記物体の奥行き知覚のより大きな変化がもたらされる、観察器。
【請求項２】
前記ビーム路程角（α）と前記観察角（β）との前記変位比は少なくとも４：１である、請求項１に記載の観察器。
【請求項３】
前記ビーム路程角（α）と前記観察角（β）との前記変位比は少なくとも５：１である、請求項１に記載の観察器。
【請求項４】
前記ビーム路程角（α）と前記観察角（β）との前記変位比は少なくとも６：１である、請求項１に記載の観察器。
【請求項５】
前記ビーム路程角（α）と前記観察角（β）との前記変位比は少なくとも８：１である、請求項１に記載の観察器。
【請求項６】
前記ビーム路程角（α）と前記観察角（β）との前記変位比は少なくとも１０：１である、請求項１に記載の観察器。
【請求項７】
前記ビーム路程角（α）と前記観察角（β）との前記変位比は少なくとも１２：１である、請求項１に記載の観察器。
【請求項８】
前記ビーム路程角（α）と前記観察角（β）との前記変位比は少なくとも１３：１である、請求項１に記載の観察器。
【請求項９】
前記ビーム路程角（α）は少なくとも６度である、請求項１〜８のいずれかに記載の観察器。
【請求項１０】
前記ビーム路程角（α）は少なくとも８度である、請求項１〜８のいずれかに記載の観察器。
【請求項１１】
前記ビーム路程角（α）は少なくとも９度である、請求項１〜８のいずれかに記載の観察器。
【請求項１２】
前記ビーム路程角（α）は少なくとも１０度である、請求項１〜８のいずれかに記載の観察器。
【請求項１３】
前記ビーム路程角（α）は少なくとも１２度である、請求項１〜８のいずれかに記載の観察器。
【請求項１４】
前記ビーム路程角（α）は少なくとも１３度である、請求項１〜８のいずれかに記載の観察器。
【請求項１５】
前記観察角（β）は２度以下である、請求項１〜１４のいずれかに記載の観察器。
【請求項１６】
前記観察角（β）は１．５度以下である、請求項１〜１４のいずれかに記載の観察器。
【請求項１７】
前記ミラー装置によって受け取られる前記光成分は、前記部分透過型反射器を通過する、請求項１〜１６のいずれかに記載の観察器。
【請求項１８】
前記ミラー装置から受け取られ、前記部分透過型反射器によって中継される前記光は、前記部分透過型反射器によって反射される、請求項１〜１７のいずれかに記載の観察器。
【請求項１９】
前記対物レンズは、前記対物面から前記光軸に沿って１２０ｍｍ未満の距離に位置する、請求項１〜１８のいずれかに記載の観察器。
【請求項２０】
前記対物レンズは、前記対物面から前記光軸に沿って１００ｍｍ未満の距離に位置する、請求項１〜１８のいずれかに記載の観察器。
【請求項２１】
前記対物レンズは、前記対物面から前記光軸に沿って８０ｍｍ未満の距離に位置する、請求項１〜１８のいずれかに記載の観察器。
【請求項２２】
前記対物レンズは、前記対物面から前記光軸に沿って６０ｍｍ未満の距離に位置する、請求項１〜１８のいずれかに記載の観察器。
【請求項２３】
前記開口絞りは少なくとも３０ｍｍの開口直径を有する、請求項１〜２２のいずれかに記載の観察器。
【請求項２４】
前記開口絞りは少なくとも３５ｍｍの開口直径を有する、請求項１〜２２のいずれかに記載の観察器。
【請求項２５】
前記開口絞りは少なくとも４０ｍｍの開口直径を有する、請求項１〜２２のいずれかに記載の観察器。
【請求項２６】
前記部分透過型反射器は半透過型反射器を含む、請求項１〜２５のいずれかに記載の観察器。
【請求項２７】
前記部分透過型反射器は、部分透過鏡、任意選択的に半透平面鏡を含む、請求項２６に記載の観察器。
【請求項２８】
前記部分透過型反射器における前記光軸によって与えられるものとしての前記観察器の光心は、前記観察面から前記光軸に沿って少なくとも１５０ｍｍの距離に位置する、請求項１〜２７のいずれかに記載の観察器。
【請求項２９】
前記部分透過型反射器における前記光軸によって与えられるものとしての前記観察器の光心は、前記観察面から前記光軸に沿って少なくとも１８０ｍｍの距離に位置する、請求項１〜２７のいずれかに記載の観察器。
【請求項３０】
前記部分透過型反射器における前記光軸によって与えられるものとしての前記観察器の光心は、前記観察面から前記光軸に沿って少なくとも２００ｍｍの距離に位置する、請求項１〜２７のいずれかに記載の観察器。
【請求項３１】
前記部分透過型反射器における前記光軸によって与えられるものとしての前記観察器の光心は、前記観察面から前記光軸に沿って少なくとも２５０ｍｍの距離に位置する、請求項１〜２７のいずれかに記載の観察器。
【請求項３２】
前記観察面にある前記射出瞳は、３０ｍｍ以下の直径を有する、請求項１〜３１のいずれかに記載の観察器。
【請求項３３】
前記観察面にある前記射出瞳は、２５ｍｍ以下の直径を有する、請求項１〜３１のいずれかに記載の観察器。
【請求項３４】
前記観察器の前記光軸からずれている、前記物体を照明するための複数の光源を含む照明器をさらに備える、請求項１〜３３のいずれかに記載の観察器。
【請求項３５】
前記光源は、前記光軸の周囲に配置されている点光源、任意選択的にＬＥＤを含む、請求項３４に記載の観察器。
【請求項３６】
前記対物レンズおよび複数の追加のレンズを備えるズーム対物レンズをさらに備える、請求項１〜３５のいずれかに記載の観察器。
【請求項３７】
前記部分透過型反射器は、前記対物レンズからの光を第１の光成分および第２の光成分を有するように分割するためのビームスプリッタであり、前記最初に言及したミラー装置は、前記ビームスプリッタから前記第１の光成分を受け取り、
前記観察器は、第２のミラー装置であって、前記ビームスプリッタから前記第２の光成分を受け取り、前記物体の第２の合焦像が前記第２のミラー装置において生成され、前記第２のミラー装置によって受け取られる光が前記ビームスプリッタへと反射され、中継されて前記物体の像が生成されるように配置されている、第２のミラー装置をさらに備え、
前記ミラー装置は、それぞれの前記ミラー装置によって中継されるものとしての前記射出瞳の瞳孔中心が、前記観察者の瞳孔間間隔に応じてずれるように方向付けられており、前記観察用レンズ装置は、両方の前記射出瞳を中継し、それによって、それぞれの前記ミラー装置からの前記射出瞳が前記観察者のそれぞれの眼に中継されることが可能であり、前記観察者の各眼に前記物体の異なる立体視差ビューがもたらされる、請求項１〜３６のいずれかに記載の観察器。
【請求項３８】
前記第２のミラー装置によって受け取られる前記光成分は、前記ビームスプリッタで反射される、請求項３７のいずれかに記載の観察器。
【請求項３９】
前記第２のミラー装置から受け取られ、前記ビームスプリッタによって中継される前記光は、前記ビームスプリッタを通過する、請求項３７または３８に記載の観察器。
【請求項４０】
任意のまたは各ミラー装置は、ミラーと、前記ミラーの表面にある球面レンズとを備える、請求項１〜３９のいずれかに記載の観察器。
【請求項４１】
前記ミラーは平面鏡を含む、請求項４０に記載の観察器。
【請求項４２】
前記ミラーは非球面鏡を含む、請求項４０に記載の観察器。
【請求項４３】
任意のまたは各ミラー装置は凹面鏡を含む、請求項１〜４２のいずれかに記載の観察器。
【発明の詳細な説明】
【技術分野】
【０００１】
本発明は、観察者に増強された奥行き知覚をもたらす、拡大されている物体を観察するための観察器に関する。
【背景技術】
【０００２】
本出願人の先行する米国特許第５４７７３８５号明細書に開示されているような立体視拡大装置（ｓｔｅｒｅｏｓｃｏｐｉｃ  ｍａｇｎｉｆｙｉｎｇ  ａｐｐａｒａｔｕｓ）を含む、物体を観察するための様々な拡大装置が存在する。
【０００３】
しかしながら、本発明者は、単眼視または立体視観察装置（ｍｏｎｏ  ｏｒ  ｓｔｅｒｅｏ  ｖｉｅｗｉｎｇ  ａｐｐａｒａｔｕｓ）において、すべて観察者の奥行き知覚に対する解釈に寄与することができる合焦、視差および重ね合わせの効果を利用するように装置を構成することによって、観察者に、大幅に増強した奥行き知覚をもたらすことが可能であることを認めている。
【先行技術文献】
【特許文献】
【０００４】
【特許文献１】米国特許第５４７７３８５号明細書
【発明の概要】
【０００５】
一態様において、本発明は、拡大されている物体を観察するための観察器（ｖｉｅｗｅｒ）を提供し、観察器は、対物面に位置する物体の像を生成するための、開口絞りによって規定される径方向範囲を有する対物レンズと、対物レンズからミラー装置（ｍｉｒｒｏｒ  ａｒｒａｎｇｅｍｅｎｔ）へと光が透過することを可能にし、ミラー装置から返ってくる光の反射を可能にする部分透過型反射器（ｐａｒｔｉａｌｌｙ−ｔｒａｎｓｍｉｓｓｉｖｅ  ｒｅｆｌｅｃｔｏｒ）と、部分透過型反射器から光成分を受け取り、物体の合焦像（ｆｏｃｕｓｓｅｄ  ｉｍａｇｅ）がミラー装置において生成され、ミラー装置によって受け取られる光が再び部分透過型反射器へと反射され、中継されて物体の像が生成されるように配置されているミラー装置と、観察面（ｖｉｅｗｉｎｇ  ｐｌａｎｅ）にある射出瞳において観察者によって観察可能である物体の光学像を生成するための観察用レンズ装置（ｖｉｅｗｉｎｇ  ｌｅｎｓ  ａｒｒａｎｇｅｍｅｎｔ）とを備え、対物レンズは、対物面から対物レンズへの距離および開口絞りの径方向範囲によって規定されるものとしてのビーム路程角（ｂｅａｍ  ｐａｔｈ  ａｎｇｌｅ）（α）を有し、観察器は、ミラー装置から観察面への光軸に沿った距離および観察面にある射出瞳の径方向範囲によって規定されるものとしての観察角（ｖｉｅｗｉｎｇ  ａｎｇｌｅ）（β）を有し、観察器は、ビーム路程角（α）と観察角（β）との変位比（ｄｉｓｐｌａｃｅｍｅｎｔ  ｒａｔｉｏ）が少なくとも３：１であるように構成されており、それによって、観察者には、観察者の頭部の変位の範囲に対して、観察されている物体の奥行き知覚（ｄｅｐｔｈ  ｐｅｒｃｅｐｔｉｏｎ）のより大きな変化がもたらされる。
【０００６】
一実施形態において、ビーム路程角（α）と観察角（β）との変位比は少なくとも４：１である。
【０００７】
別の実施形態において、ビーム路程角（α）と観察角（β）との変位比は少なくとも５：１である。
【０００８】
さらなる実施形態において、ビーム路程角（α）と観察角（β）との変位比は少なくとも６：１である。
【０００９】
またさらなる実施形態において、ビーム路程角（α）と観察角（β）との変位比は少なくとも８：１である。
【００１０】
なおさらなる実施形態において、ビーム路程角（α）と観察角（β）との変位比は少なくとも１０：１である。
【００１１】
またなおさらなる実施形態において、ビーム路程角（α）と観察角（β）との変位比は少なくとも１２：１である。
【００１２】
なおまた別の実施形態において、ビーム路程角（α）と観察角（β）との変位比は少なくとも１３：１である。
【００１３】
一実施形態において、ビーム路程角（α）は少なくとも６度である。
【００１４】
別の実施形態において、ビーム路程角（α）は少なくとも８度である。
【００１５】
また別の実施形態において、ビーム路程角（α）は少なくとも９度である。
【００１６】
なお別の実施形態において、ビーム路程角（α）は少なくとも１０度である。
【００１７】
なおまた別の実施形態において、ビーム路程角（α）は少なくとも１２度である。
【００１８】
なおさらなる実施形態において、ビーム路程角（α）は少なくとも１３度である。
【００１９】
一実施形態において、観察角（β）は２度以下である。
【００２０】
別の実施形態において、観察角（β）は１．５度以下である。
【００２１】
一実施形態において、ミラー装置によって受け取られる光成分は部分透過型反射器を通過する。
【００２２】
一実施形態において、ミラー装置から受け取られ、部分透過型反射器によって中継される光は、部分透過型反射器によって反射される。
【００２３】
一実施形態において、対物レンズは、対物面から光軸に沿って１２０ｍｍ未満の距離に位置する。
【００２４】
別の実施形態において、対物レンズは、対物面から光軸に沿って１００ｍｍ未満の距離に位置する。
【００２５】
さらなる実施形態において、対物レンズは、対物面から光軸に沿って８０ｍｍ未満の距離に位置する。
【００２６】
またさらなる実施形態において、対物レンズは、対物面から光軸に沿って６０ｍｍ未満の距離に位置する。
【００２７】
一実施形態において、開口絞りは少なくとも３０ｍｍの開口直径を有する。
【００２８】
別の実施形態において、開口絞りは少なくとも３５ｍｍの開口直径を有する。
【００２９】
さらなる実施形態において、開口絞りは少なくとも４０ｍｍの開口直径を有する。
【００３０】
一実施形態において、部分透過型反射器は半透過型反射器（ｓｅｍｉ−ｔｒａｎｓｍｉｓｓｉｖｅ  ｒｅｆｌｅｃｔｏｒ）を含む。
【００３１】
一実施形態において、部分透過型反射器は、部分透過鏡、任意選択的に半透平面鏡（ｈａｌｆ−ｓｉｌｖｅｒｅｄ  ｐｌａｎａｒ  ｍｉｒｒｏｒ）を含む。
【００３２】
一実施形態において、部分透過型反射器における光軸によって与えられるものとしての観察器の光心は、観察面から光軸に沿って少なくとも１５０ｍｍの距離に位置する。
【００３３】
別の実施形態において、部分透過型反射器における光軸によって与えられるものとしての観察器の光心は、観察面から光軸に沿って少なくとも１８０ｍｍの距離に位置する。
【００３４】
さらなる実施形態において、部分透過型反射器における光軸によって与えられるものとしての観察器の光心は、観察面から光軸に沿って少なくとも２００ｍｍの距離に位置する。
【００３５】
またさらなる実施形態において、部分透過型反射器における光軸によって与えられるものとしての観察器の光心は、観察面から光軸に沿って少なくとも２５０ｍｍの距離に位置する。
【００３６】
一実施形態において、観察面にある射出瞳は、３０ｍｍ以下の直径を有する。
【００３７】
別の実施形態において、観察面にある射出瞳は、２５ｍｍ以下の直径を有する。
【００３８】
一実施形態において、観察器は、観察器の光軸からずれている、物体を照明するための複数の光源を含む照明器をさらに備える。
【００３９】
一実施形態において、光源は、光軸の周囲に配置されている点光源、任意選択的にＬＥＤを含む。
【００４０】
一実施形態において、観察器は、対物レンズおよび複数の追加のレンズを備えるズーム対物レンズ（ｚｏｏｍ  ｏｂｊｅｃｔｉｖｅ，ズームオブジェクティブ）をさらに備える。
【００４１】
一実施形態において、部分透過型反射器は、対物レンズからの光を第１の光成分および第２の光成分を有するように分割するためのビームスプリッタであり、最初に言及したミラー装置は、ビームスプリッタから第１の光成分を受け取り、ビームスプリッタから第２の光成分を受け取り、物体の第２の合焦像が第２のミラー装置において生成され、第２のミラー装置によって受け取られる光が再びビームスプリッタへと反射され、中継されて物体の像が生成されるように配置されている第２のミラー装置をさらに備え、ミラー装置は、それぞれのミラー装置によって中継されるものとしての射出瞳の瞳孔中心（ｐｕｐｉｌ  ｃｅｎｔｒｅｓ）が、観察者の瞳孔間間隔に応じてずれるように方向付けられており、観察用レンズ装置は、両方の射出瞳を中継し、それによって、それぞれのミラー装置からの射出瞳が観察者のそれぞれの眼に中継されることが可能であり、観察者の各眼に物体の異なる立体視差ビュー（ｄｉｆｆｅｒｅｎｔ  ｓｔｅｒｅｏ  ｐａｒａｌｌａｘ  ｖｉｅｗｓ）がもたらされる。
【００４２】
一実施形態において、第２のミラー装置によって受け取られる光成分は、ビームスプリッタで反射される。
【００４３】
一実施形態において、第２のミラー装置から受け取られ、ビームスプリッタによって中継される光は、ビームスプリッタを通過する。
【００４４】
一実施形態において、任意のまたは各ミラー装置は、ミラーと、ミラーの表面にある球面レンズとを備える。
【００４５】
一実施形態において、ミラーは平面鏡を含む。
【００４６】
別の実施形態において、ミラーは非球面鏡を含む。
【００４７】
別の実施形態において、任意のまたは各ミラー装置は凹面鏡を含む。
【００４８】
これより、本発明の好ましい実施形態を、添付の図面を参照しながら例としてのみ以下に説明する。
【図面の簡単な説明】
【００４９】
【図１】本発明の第１の実施形態による観察器を示す図である。
【図２】本発明の第２の実施形態による観察器を示す図である。
【図３】本発明の第３の実施形態による観察器を示す図である。
【図４】本発明の第４の実施形態による観察器を示す図である。
【発明を実施するための形態】
【００５０】
図１は、本発明の第１の実施形態による観察器を示す。
【００５１】
観察器は、この実施形態においては開口絞り５によって規定されるものとしての対物面ＯＰに位置する物体の像を生成するための対物レンズ３を備える。
【００５２】
この実施形態において、対物レンズ３は、対物面ＯＰから光軸に沿って１００ｍｍの距離に位置し、開口絞り５は３５ｍｍの開口直径を有する。
【００５３】
観察器は、対物レンズ３からミラー装置１２へと光が透過することを可能にし、ミラー装置１２から返ってくる光の反射をもたらすための半透鏡（ｓｅｍｉ−ｔｒａｎｓｐａｒｅｎｔ  ｍｉｒｒｏｒ）１１をさらに備える。この実施形態において、半透鏡１１は、半透平面鏡を含む。
【００５４】
観察器は、この実施形態においては半透鏡１１を通過する、半透鏡１１からの光成分を受け取り、物体の合焦像１４がミラー装置１２において生成され、ミラー装置１２によって受け取られる光が再び半透鏡１１へと反射され、この実施形態においては半透鏡１１によって反射されるものとして中継されて、対物レンズ３の開口絞り５の像を生成するように配置されているミラー装置１２をさらに備える。
【００５５】
この実施形態において、ミラー装置１２は、平面鏡または非球面鏡１５と、鏡１５の表面にある球面レンズ１７とを備える。
【００５６】
代替的な実施形態において、ミラー装置１２は、凹面鏡を備えてもよい。
【００５７】
観察器は、観察者の眼によって観察可能であるようにするなどのために、射出瞳を観察面ＶＰに中継するための観察用レンズ装置３１をさらに備える。
【００５８】
この実施形態において、ミラー装置１２は、観察用レンズ３１と組み合わさって、対物レンズ３の開口５の像を、観察者の眼における射出瞳として生成するように構成されている。
【００５９】
この実施形態において、半透鏡１１における光軸によって表される観察器の光心は、観察面ＶＰから光軸に沿って３００ｍｍの距離に位置しており、見かけ上の像までの距離は５００ｍｍであり、観察面ＶＰにある射出瞳は２５ｍｍの直径を有する。
【００６０】
この構成によれば、観察器の光心に対する観察者の観察角βの非常に小さい変化が、物体から対物レンズ３へのビーム路程角αによって表される、観察者に中継されているミラー装置１２における画像１４の部分の非常に大幅なシフトを引き起こす。
【００６１】
この実施形態において、最大観察角βは１．４３度であり、これは９．９３度のビーム路程角αに対応し、それによって、ビーム路程角αと観察角βとの変位比は６．９４：１になる。
【００６２】
好ましい実施形態において、ビーム路程角αと観察角βとの変位比は少なくとも３：１であり、任意選択的には少なくとも４：１であり、より任意選択的には少なくとも５：１であり、またより任意選択的には少なくとも６：１である。
【００６３】
したがって、観察者には、観察者の頭部の非常に小さい変位から非常に明白な奥行き知覚がもたらされ、観察者には、観察されている像の部分への合焦を失うことなく、あたかも頭部が大きく変位することが必要とされる場合に起こり得るような、顕著な奥行きの知覚がもたらされる。
【００６４】
図２は、本発明の第２の実施形態による観察器を示す。
【００６５】
この実施形態の観察器は、最初に説明した実施形態の観察器に非常に類似している。説明が不必要に重複することを避けるために、差異のみを詳細に説明し、同様の部分は同様の参照符号によって指定される。
【００６６】
この実施形態の観察器は、観察器の光軸からずれている、物体を照明するための複数の光源４３を含む照明器４１を備える点で、最初に説明した実施形態のものと異なっている。
【００６７】
この実施形態において、光源４３は、光軸の周囲に配置されている点光源、ここではＬＥＤを含む。この実施形態において、光源４３は、実質的に環状に配置されている。
【００６８】
この構成によれば、軸外照明は物体の表面で任意のエッジ特徴またはファセットを目立たせる傾向にあり、これによって、観察者が自身の頭部を動かすときに奥行き知覚が促進されて、エッジ特徴またはファセットが反射性の変化によって強調されるため、観察器の光学構成要素の構造的構成によって達成されるような奥行き知覚が増強される。
【００６９】
図３は、本発明の第３の実施形態による観察器を示す。
【００７０】
この実施形態の観察器は、最初に説明した実施形態の観察器に非常に類似している。説明が不必要に重複することを避けるために、差異のみを詳細に説明し、同様の部分は同様の参照符号によって指定される。
【００７１】
この実施形態の観察器は、観察器が、対物レンズ３および複数の追加のレンズ５３、５５を備えるズーム対物レンズ５１を備えるという点、ならびに、対物レンズ３が対物面ＯＰにより近く位置しており、この実施形態においては対物面ＯＰから光軸に沿って５０ｍｍの距離に位置しているという点において、最初に説明した実施形態の観察器と異なっている。
【００７２】
この構成によれば、ビーム路程角αが１９．８６度であり、それによって、ビーム路程角αと観察角βとの変位比が１３．８８：１であるため、さらなる奥行き知覚の増強が達成される。
【００７３】
好ましい実施形態において、ビーム路程角αと観察角βとの変位比は少なくとも８：１であり、任意選択的には少なくとも１０：１であり、より任意選択的には少なくとも１２：１であり、またより任意選択的には少なくとも１３：１である。
【００７４】
図４は、本発明の第４の実施形態による観察器を示す。
【００７５】
この実施形態の観察器は、立体視観察器であり、それによって、奥行き知覚をさらに増強するためにユーザの眼の各々に拡大された射出瞳がもたらされる点で、最初に説明した実施形態と異なっている。説明が不必要に重複することを避けるために、差異のみを詳細に説明し、同様の部分は同様の参照符号によって指定される。
【００７６】
この実施形態において、半透鏡１１は、対物レンズ３からの光を、第１の光成分および第２の光成分を有するように分割するためのビームスプリッタである。
【００７７】
この実施形態において、第１のミラー装置１２は、ここではビームスプリッタ１１を通過する、ビームスプリッタ１１からの第１の光成分を受け取り、物体の第１の合焦像１４が第１のミラー装置１２において生成され、第１のミラー装置１２によって受け取られる光が再びビームスプリッタ１１へと反射され、ここではビームスプリッタ１１によって反射されるものとして中継されて、対物レンズ３の開口絞り５の像を生成するように配置されている。
【００７８】
この実施形態において、観察器は、ここではビームスプリッタ１１によって反射されるものとしての、ビームスプリッタ１１からの第２の光成分を受け取り、物体の第２の合焦像２３が第２のミラー装置２１において生成され、第２のミラー装置２１によって受け取られる光が、再びビームスプリッタ１１へと反射され、ここではビームスプリッタ１１を通過するものとして中継されて、対物レンズ３の開口絞り５の像を生成するように配置されている第２のミラー装置２１をさらに備える。
【００７９】
この実施形態において、第２のミラー装置２１は、平面鏡または非球面鏡２５と、鏡２５の表面にある球面レンズ２７とを備える。
【００８０】
代替的な実施形態において、第２のミラー装置２１は、凹面鏡を備えてもよい。
【００８１】
この実施形態において、ミラー装置１２、２１は、それぞれのミラー装置１２、２１によって中継されるものとしての射出瞳の瞳孔中心が、観察者の瞳孔間間隔に対応してずれるように方向付けられており、それによって、それぞれのミラー装置１２、２１からの射出瞳が観察者のそれぞれの眼に中継され、それによって、各眼に物体の異なる立体視差ビューがもたらされることが可能にされる。
【００８２】
この実施形態において、観察用レンズ装置３１は、観察者のそれぞれの眼によって観察可能であるようにするなどのために、両方の射出瞳を観察面ＶＰに中継する。
【００８３】
この構成によれば、射出瞳が各眼にもたらされ、観察者に立体視像の知覚が与えられる。
【００８４】
最後に、本発明はその好ましい実施形態において説明されており、添付の特許請求の範囲によって規定されるような本発明の範囲から逸脱することなく、多くの異なる方法で修正することができることが理解されよう。
【００８５】
一変形例において、観察器は、対物レンズ３によって与えられるものとしての物体の像を方向付けし直すために、一般的に対物レンズ３と半透過型反射器１１との間の像反転器をさらに備えてもよい。一実施形態において、像反転器は、ダブルポロプリズムであってもよい。
【図１】
2018189974.tif 000003
【図２】
2018189974.tif 000004
【図３】
2018189974.tif 000005
【図４】
2018189974.tif 000006